(57)【要約】      （修正有）【課題】車高検出手段の検出結果を用いて車高を調整する自動二輪車の車高調整装置において、車高検出手段の検出結果を簡易に校正して正しい車高を検出する。【解決手段】自動二輪車の車高調整装置４０であって、制御手段７０は、バッテリからの給電下でイグニッションオンにより起動され、切換弁６０の開弁継続下の車高検出手段８０の検出結果を油圧ジャッキ４１の下限高さとし、切換弁６０の閉弁下で車両を揺すり、これによって上昇する車高検出手段８０の検出結果の最上昇端を油圧ジャッキ４１の上限高さとする。【選択図】図８
2014065345.tif 000002
【特許請求の範囲】
【請求項１】
車体と車軸の間に介装されるダンパと、
ダンパの伸縮動によりポンピング動作してダンパ内の作動油を吐出する油圧ポンプと、
油圧ポンプが吐出する作動油を給排されて車高を変位させる油圧ジャッキと、
油圧ジャッキをダンパの油溜室に切換接続する電磁弁からなる切換弁と、
車高を検出する車高検出手段と、
車高検出手段の検出結果によって切換弁を開閉制御し、車高を調整する制御手段とを有してなる自動二輪車の車高調整装置であって、
制御手段は、
バッテリからの給電下でイグニッションオンにより起動され、
切換弁の開弁継続下の車高検出手段の検出結果を油圧ジャッキの下限高さとし、
切換弁の閉弁下で車両を揺すり、これによって上昇する車高検出手段の検出結果の最上昇端を油圧ジャッキの上限高さとする自動二輪車の車高調整装置。
【請求項２】
前記制御手段は、切換弁がノーマルクローズバルブのとき、
バッテリからの給電下でイグニッションオンにより起動され、
切換弁のソレノイドをオンさせて開弁し、規定時間設定後の車高検出手段の検出結果を油圧ジャッキの下限高さとし、
切換弁のソレノイドをオフさせた閉弁下で車両を揺すり、これによって上昇する車高検出手段の検出結果の最上昇端を油圧ジャッキの上限高さとする請求項１に記載の自動二輪車の車高調整装置。
【請求項３】
前記制御手段は、切換弁がノーマルオープンバルブのとき、
バッテリからの給電下でイグニッションオンにより起動され、
イグニッションオン直後の車高検出手段の検出結果を油圧ジャッキの下限高さとし、
切換弁のソレノイドをオンさせた閉弁下で車両を揺すり、これによって上昇する車高検出手段の検出結果の最上昇端を油圧ジャッキの上限高さとする請求項１に記載の自動二輪車の車高調整装置。
【発明の詳細な説明】
【技術分野】
【０００１】
本発明は自動二輪車の車高調整装置に関する。
【背景技術】
【０００２】
自動二輪車の車高調整装置として、特許文献１に記載の如く、油圧減衰器を利用した車両の車高調整装置に関するものであり、停車中は車高を下げ、走行中は車高を高くするための車高２段階調整装置について、油圧減衰器の伸縮動作を利用して油圧減衰器を伸長させて車高を高くし、また任意に車高を低い位置に変更することができるようにしたものである。
【０００３】
具体的には、油圧減衰器の伸縮振動によるポンピング動作による吐出油を利用して、手元操作、或いは自動操作によって作動せしめられる電磁アクチュエータにより調整弁を操作し、この調整弁を車高を高くする位置、車高を低くする位置のいずれかに選択することによって、車高を所定の高さ、或いは所定の低さに任意に切換えるものとしている。
【先行技術文献】
【特許文献】
【０００４】
【特許文献１】特公平8-22680
【発明の概要】
【発明が解決しようとする課題】
【０００５】
特許文献１に記載の如くの自動二輪車の車高調整装置において、車高検出手段の検出結果によって電磁弁からなる切換弁を開閉制御し、車高を調整することが考えられる。例えば車両の停車を予測して車高を低い位置に制御し、ライダーの足付き性を確保することが考えられる。又は、車高を高い位置と低い位置の間の中間位置に保持することが考えられる。このような場合には、車高検出手段の検出結果が正しい車高を示さないと、足付き性を確保するに最適な低い位置や、所望の中間位置に車高を設定することができない。
【０００６】
しかしながら、車両の組付時や部品交換時に、車高検出手段の取付位置が標準位置からずれる等にあっては、車高検出手段によって必ずしも正しい車高を検出することができない。
【０００７】
本発明の課題は、車高検出手段の検出結果を用いて車高を調整する自動二輪車の車高調整装置において、車高検出手段の検出結果を簡易に校正して正しい車高を検出することにある。
【課題を解決するための手段】
【０００８】
請求項１に係る発明は、車体と車軸の間に介装されるダンパと、ダンパの伸縮動によりポンピング動作してダンパ内の作動油を吐出する油圧ポンプと、油圧ポンプが吐出する作動油を給排されて車高を変位させる油圧ジャッキと、油圧ジャッキをダンパの油溜室に切換接続する電磁弁からなる切換弁と、車高を検出する車高検出手段と、車高検出手段の検出結果によって切換弁を開閉制御し、車高を調整する制御手段とを有してなる自動二輪車の車高調整装置であって、制御手段は、バッテリからの給電下でイグニッションオンにより起動され、切換弁の開弁継続下の車高検出手段の検出結果を油圧ジャッキの下限高さとし、切換弁の閉弁下で車両を揺すり、これによって上昇する車高検出手段の検出結果の最上昇端を油圧ジャッキの上限高さとするようにしたものである。
【０００９】
請求項２に係る発明は、請求項１に係る発明において更に、前記制御手段は、切換弁がノーマルクローズバルブのとき、バッテリからの給電下でイグニッションオンにより起動され、切換弁のソレノイドをオンさせて開弁し、規定時間設定後の車高検出手段の検出結果を油圧ジャッキの下限高さとし、切換弁のソレノイドをオフさせた閉弁下で車両を揺すり、これによって上昇する車高検出手段の検出結果の最上昇端を油圧ジャッキの上限高さとするようにしたものである。
【００１０】
請求項３に係る発明は、請求項１に係る発明において更に、前記制御手段は、切換弁がノーマルオープンバルブのとき、バッテリからの給電下でイグニッションオンにより起動され、イグニッションオン直後の車高検出手段の検出結果を油圧ジャッキの下限高さとし、切換弁のソレノイドをオンさせた閉弁下で車両を揺すり、これによって上昇する車高検出手段の検出結果の最上昇端を油圧ジャッキの上限高さとするようにしたものである。
【発明の効果】
【００１１】
（請求項１）
(a)制御手段が備える校正機能によって、車高検出手段が検出し得る下限高さと上限高さを簡易に把握し、車高検出手段によって正しい車高を検出できる。
【００１２】
これにより、制御手段は車高下げ制御動作による車高の下限高さを正しく判定し、ライダーの足付き性を確保できる。
【００１３】
また、制御手段は車高上げ制御動作による車高の上限高さを正しく判定できる。
また、制御手段は下限高さと上限高さの認識に基づいてそれらの中間位置を正しく認識し、所望の中間位置に車高を設定できる。
【００１４】
（請求項２）
(b)ノーマルクローズバルブの切換弁を備えた車高調整装置において、上述(a)を実行できる。
【００１５】
（請求項３）
(c)ノーマルオープンバルブの切換弁を備えた車高調整装置において、上述(a)を実行できる。
【図面の簡単な説明】
【００１６】
【図１】図１は自動二輪車を示す模式側面図である。
【図２】図２はリアサスペンションの車高上げ制御モードを示し、（Ａ）は伸長行程を示す断面図、（Ｂ）は圧縮行程を示す断面図である。
【図３】図３はリアサスペンションの車高下げ制御モードを示す断面図である。
【図４】図４はリアサスペンションの車高保持モードを示す断面図である。
【図５】図５はフロントフォークの車高上げ制御モードを示し、（Ａ）は伸長行程を示す断面図、（Ｂ）は圧縮行程を示す断面図である。
【図６】図６はフロントフォークの車高下げ制御モードを示す断面図である。
【図７】図７はフロントフォークの車高保持モードを示す断面図である。
【図８】図８は車高調整装置を示す制御回路図である。
【図９】図９は制御回路の一例を示す回路図である。
【図１０】図１０は車高の調整状態を示す線図である。
【図１１】図１１は制御回路の他の例を示す回路図である。
【発明を実施するための形態】
【００１７】
図１に示した自動二輪車１は、車体２と後部車軸３（後輪３Ａ）との間にリアサスペンション１０を介装し、車体２と前部車軸４（前輪４Ａ）との間にフロントフォーク１１０を介装している。
【００１８】
リアサスペンション１０（図２〜図４、図８〜図１０）
リアサスペンション１０は、図２〜図４、図８に示すダンパ１０Ａを有する。ダンパ１０Ａは、車体側に取付けられるダンパチューブ１１と、車軸側に取付けられるピストンロッド１２とを有する。ピストンロッド１２は、ダンパチューブ１１内をピストン２４を介して摺動して該ダンパチューブ１１に対して伸縮し、ダンパチューブ１１とピストンロッド１２の外周沿いに配置された懸架スプリング１３を有する。ダンパチューブ１１の上端部には車体側取付部材１４が固定され、ピストンロッド１２の下端部には車軸側取付部材１５が固定される。
【００１９】
ダンパチューブ１１の上端側の外周部には後輪側車高調整装置４０の油圧ジャッキ４１が設けられ、油圧ジャッキ４１にはジャッキ室４２を区画するプランジャ４３が挿入される。懸架スプリング１３の上端がプランジャ４３に支持され、懸架スプリング１３の下端が車軸側取付部材１５に設けたばね受１６に支持される。
【００２０】
リアサスペンション１０は、ダンパチューブ１１をインナチューブ２１とアウタチューブ２２からなる二重管とし、ピストンロッド１２のインナチューブ２１への挿入端にピストン２４を固定して備える。リアサスペンション１０は、インナチューブ２１の内部にピストン２４により区画される下油室２５Ａと上油室２５Ｂを形成し、アウタチューブ２２の外周に油溜室２６を形成し、それらの油室２５Ａ、２５Ｂ、油溜室２６に作動油を収容している。油溜室２６は常に下油室２５Ａ又は上油室２５Ｂに連通し、リアサスペンション１０の伸縮に伴うピストンロッド１２の容積分の作動油を補償する。
【００２１】
リアサスペンション１０は、ピストンロッド１２のピストン２４に設けた下油室２５Ａと上油室２５Ｂとの連絡路に減衰力発生装置２７（図８）を有するとともに、ダンパチューブ１１に設けた上油室２５Ｂと油溜室２６との連絡路に減衰力発生装置２８（図８）を有する。減衰力発生装置２７、２８は、懸架スプリング１３による路面からの衝撃力の吸収に伴うダンパチューブ１１とピストンロッド１２の伸縮振動を減衰する。
【００２２】
しかるに、後輪側車高調整装置４０は、図２〜図４、図８に示す如く、ダンパチューブ１１におけるアウタチューブ２２の外周に油圧ジャッキ４１を設けている。油圧ジャッキ４１はジャッキ室４２を区画するプランジャ４３を備える。プランジャ４３はジャッキ室４２に供給される作動油によりジャッキ室４２から突出し、その下面に懸架スプリング１３の上端を支持する。
【００２３】
尚、油圧ジャッキ４１は、プランジャ４３がジャッキ室４２から突出する突出端に達したとき、ジャッキ室４２の作動油を油溜室２６に戻す油戻り通路４４をアウタチューブ２２に設けている（図４）。
【００２４】
後輪側車高調整装置４０は、ダンパチューブ１１に対するピストンロッド１２の伸縮動によりポンピング動作して油圧ジャッキ４１のジャッキ室４２に作動油を給排する油圧ポンプ５０を有する。
【００２５】
油圧ポンプ５０は、ダンパチューブ１１のエンドピース１１Ａに立設した中空パイプ５１を、ピストンロッド１２の中空部によって形成されているポンプ室５２に摺動可能に挿入してある。
【００２６】
油圧ポンプ５０は、ピストンロッド１２がダンパチューブ１１、中空パイプ５１に進入する収縮動により加圧されるポンプ室５２の作動油を油圧ジャッキ４１の側に吐出させる吐出用チェック弁５３を備えるとともに（図２（Ｂ））、ピストンロッド１２がダンパチューブ１１、中空パイプ５１から退出する伸長動により負圧になるポンプ室５２にダンパチューブ１１のインナチューブ２１内の作動油を吸込む吸込用チェック弁５４を備える（図２（Ａ））。
【００２７】
従って、油圧ポンプ５０は、車両が走行してリアサスペンション１０が路面の凹凸により加振され、ピストンロッド１２がダンパチューブ１１、中空パイプ５１に進退する伸縮動によりポンピング動作する。ピストンロッド１２の収縮動によるポンピング動作により、ポンプ室５２が加圧されるとき、ポンプ室５２の油が吐出用チェック弁５３を開いて油圧ジャッキ４１の側に吐出される。ピストンロッド１２の伸長動によるポンピング動作により、ポンプ室５２が負圧になると、ダンパチューブ１１の上油室２５Ｂの油が吸込用チェック弁５４を開いてポンプ室５２に吸込まれる。
【００２８】
後輪側車高調整装置４０は、油圧ジャッキ４１のジャッキ室４２に供給した作動油を止めるように閉弁し、又は該作動油を図３に示す如くに油溜室２６（ダンパチューブ１１の油室２５Ａ、２５Ｂでも可）に排出するように開弁する切換弁６０を有する。後輪側車高調整装置４０は、図８、図９に示す如くの制御回路を有し、ＥＣＵ（制御手段）７０による切換弁６０の開閉制御によって、ダンパチューブ１１に対するピストンロッド１２の伸縮動によりポンピング動作する油圧ポンプ５０が油圧ジャッキ４１のジャッキ室４２に供給した作動油の液位、ひいてはジャッキ室４２から突出するプランジャ４３の突出高さを調整し、車両の車高を制御する。
【００２９】
フロントフォーク１１０（図５〜図７）
フロントフォーク１１０は、図５〜図７に示す如く、ダンパ１１０Ａを有する。ダンパ１１０Ａは、車体側に取付けられるダンパチューブ１１１と、車軸側に取付けられるボトムチューブ１１２及びピストンロッド１１３を有する。ダンパチューブ１１１はボトムチューブ１１２の上端開口から該ボトムチューブ１１２内に摺動可能に挿入される。ピストンロッド１１３は、ボトムチューブ１１２の内部中央に立設され、ダンパチューブ１１１の下端側の油室１２５内を摺動して該ダンパチューブ１１１に対して伸縮する。ダンパチューブ１１１の上端側の油溜室１２６には懸架スプリング１１４が配置されている。ダンパチューブ１１１の上端部には不図示の車体側取付部材が固定され、ボトムチューブ１１２の下端部には車軸側取付部材１１５が固定される。
【００３０】
ダンパチューブ１１１の上端部には、前輪側車高調整装置１４０の油圧ジャッキ１４１が設けられ、油圧ジャッキ１４１にはジャッキ室１４２を区画するプランジャ１４３が嵌合される。懸架スプリング１１４の上端がばね受１１６を介してプランジャ１４３に支持され、懸架スプリング１１４の下端がピストンロッド１１３の上端部に設けたエンドピース兼ばね受１１７に支持される。
【００３１】
フロントフォーク１１０は、ダンパチューブ１１１の下端側に、ピストンロッド１１３の外周に摺動するピストン１２４を固定的に備える。フロントフォーク１１０は、ピストンロッド１１３の外周にピストン１２４により区画される下油室１２５Ａと上油室１２５Ｂを形成し、ピストンロッド１１３の内周及びダンパチューブ１１１の上部内周に油溜室１２６を形成し、それらの油室１２５Ａ、１２５Ｂ、油溜室１２６に作動油を収容している。油溜室１２６は常に下油室１２５Ａ又は上油室１２５Ｂに連通し、フロントフォーク１１０の伸縮に伴うダンパチューブ１１１の容積分の作動油を補償する。
【００３２】
フロントフォーク１１０は、ダンパチューブ１１１のピストン１２４に設けた下油室１２５Ａと上油室１２５Ｂとの連絡路に減衰力発生装置１２７を有するとともに、ピストンロッド１１３に設けた下油室１２５Ａ、上油室１２５Ｂと油溜室１２６との連絡路に減衰力発生装置１２８を有する。減衰力発生装置１２７、１２８は、懸架スプリング１１４による路面からの衝撃力の吸収に伴うダンパチューブ１１１とボトムチューブ１１２、ピストンロッド１１３の伸縮振動を減衰する。
【００３３】
しかるに、前輪側車高調整装置１４０は、図５〜図７に示す如く、ダンパチューブ１１１の上端部に油圧ジャッキ１４１を設けている。油圧ジャッキ１４１はジャッキ室１４２を区画するプランジャ１４３を備える。プランジャ１４３はジャッキ室１４２に供給される作動油によりジャッキ室１４２から突出し、その下面に懸架スプリング１１４の上端を支持する。
【００３４】
尚、油圧ジャッキ１４１は、プランジャ１４３がジャッキ室１４２から突出する突出端に達したとき、ジャッキ室１４２の作動油を油溜室１２６に戻す油戻り通路１４４を油圧ジャッキ１４１に設けている（図７）。
【００３５】
前輪側車高調整装置１４０は、ダンパチューブ１１１に対するピストンロッド１１３の伸縮動によりポンピング動作して油圧ジャッキ１４１のジャッキ室１４２に作動油を給排する油圧ポンプ１５０を有する。
【００３６】
油圧ポンプ１５０は、ピストンロッド１１３のエンドピース１１７に立設した中空パイプ１５１を、プランジャ１４３の中空部によって形成されているポンプ室１５２に摺動可能に挿入してある。
【００３７】
油圧ポンプ１５０は、ピストンロッド１１３、中空パイプ１５１がダンパチューブ１１１に進入する収縮動により加圧されるポンプ室１５２の作動油を油圧ジャッキ１４１の側に吐出させる吐出用チェック弁１５３を備えるとともに（図５（Ｂ））、ピストンロッド１１３、中空パイプ１５１がダンパチューブ１１１から退出する伸長動により負圧になるポンプ室１５２に油溜室１２６の作動油を吸込む吸込用チェック弁１５４を備える（図５（Ａ））。
【００３８】
従って、油圧ポンプ１５０は、車両が走行してフロントフォーク１１０が路面の凹凸により加振され、ピストンロッド１１３、中空パイプ１５１がダンパチューブ１１１に進退する伸縮動によりポンピング動作する。ピストンロッド１１３の収縮動によるポンピング動作によりポンプ室１５２が加圧されるとき、ポンプ室１５２の油が吐出用チェック弁１５３を開いて油圧ジャッキ１４１の側に吐出される。ピストンロッド１１３の伸長動によるポンピング動作によりポンプ室１５２が負圧になると、油溜室１２６の油が吸込用チェック弁１５４を開いてポンプ室１５２に吸込まれる。
【００３９】
前輪側車高調整装置１４０は、油圧ジャッキ１４１のジャッキ室１４２に供給した作動油を止めるように閉弁し、又は該作動油を図６に示す如くに油溜室１２６に排出するように開弁する切換弁１６０（不図示）を有する。前輪側車高調整装置１４０は、後輪側車高調整装置４０において図８、図９に示したと同様の制御回路を有し、ＥＣＵ（制御手段）７０による切換弁１６０の開閉制御によって、ダンパチューブ１１１に対するピストンロッド１１３の伸縮動によりポンピング動作する油圧ポンプ１５０が油圧ジャッキ１４１のジャッキ室１４２に供給した作動油の液位、ひいてはジャッキ室１４２から突出するプランジャ１４３の突出高さを調整し、車両の車高を制御する。
【００４０】
本実施例のＥＣＵ７０は、車高検出手段８０（前輪側車高検出手段８０Ｆ、後輪側車高検出手段８０Ｒ）、車速センサ９１（前輪４Ａの回転速度を検出する前輪車輪速センサ９１Ｆ、後輪３Ａの回転速度を検出する後輪車輪速センサ９１Ｒ）、シフトポジションセンサ９２、Ｇセンサ（加減速センサ）９３、サイドスタンドセンサ９４、エンジン回転センサ９５、ブレーキセンサ９６、クラッチセンサ９７等の検出信号を得て、電磁弁からなる切換弁６０（又は切換弁１６０）をオン／オフ制御する。
【００４１】
車高検出手段８０（前輪側車高検出手段８０Ｆ又は後輪側車高検出手段８０Ｒ）としては、油圧ジャッキ４１におけるプランジャ４３（又は油圧ジャッキ１４１におけるプランジャ１４３）の突出高さ検出手段８１、油圧ジャッキ４１におけるジャッキ室４２（又は油圧ジャッキ１４１におけるジャッキ室１４２）の油圧検出手段８２、ダンパチューブ１１に対するピストンロッド１２（又はダンパチューブ１１１に対するピストンロッド１１３）の伸縮ストローク長検出手段８３の１つ、或いはそれらの２つ以上の組合せを採用できる。
【００４２】
尚、プランジャ４３の突出高さ検出手段８１は、具体的には、例えば図８に示す如く、油圧ジャッキ４１の外周にコイル８１Ａを巻き、プランジャ４３に設けたカバー８１Ｂを油圧ジャッキ４１の外周に被せる。突出高さ検出手段８１はプランジャ４３の変位に応じてコイル８１Ａのインピーダンスを変化させ、コイル８１Ａの出力は信号処理回路８１Ｃを介してＥＣＵ７０に伝えられ、ＥＣＵ７０は信号処理回路８１Ｃが出力するコイル８１Ａの発振周波数でプランジャ４３の突出高さを検出する。
【００４３】
以下、自動二輪車１の車高調整動作として、単一の２ポート２位置電磁弁からなる切換弁６０を用いた図８、図９の制御回路を採用したリアサスペンション１０の後輪側車高調整装置４０について詳述する。フロントフォーク１１０の前輪側車高調整装置１４０による車高調整動作も実質的に同様である。
【００４４】
ＥＣＵ７０がオン信号を出力する車高下げ制御モードで、切換弁６０が開弁して油圧ジャッキ４１のジャッキ室４２をダンパチューブ１１の油溜室２６に接続することにより、油圧ポンプ５０が油圧ジャッキ４１のジャッキ室４２に供給した作動油を油溜室２６に排出してジャッキ室４２の液位、ひいてはプランジャ４３の突出高さを下げ、車高下げ動作可能にする。
【００４５】
他方、ＥＣＵ７０がオフ信号を出力する車高上げ制御モードで、切換弁６０が閉弁して油圧ジャッキ４１のジャッキ室４２をダンパチューブ１１の油溜室２６に対して遮断し、油圧ポンプ５０が油圧ジャッキ４１のジャッキ室４２に供給した作動油を排出せず、車高維持又は車高上げ動作可能にする。このとき、ピストンロッド１２の前述の伸長動によるポンピング動作により、油圧ポンプ５０はダンパチューブ１１の下油室２５Ａの油を吸込用チェック弁５４からポンプ室５２に吸込み可能にする。そして、ピストンロッド１２の前述の収縮動によるポンピング動作により、油圧ポンプ５０はポンプ室５２の油を吐出用チェック弁５３から油圧ジャッキ４１のジャッキ室４２に供給し、車高上げ動作可能にする。
【００４６】
尚、切換弁６０は、図８、図９ではノーマルクローズバルブとしたが、ノーマルオープンパルブであっても良い。
【００４７】
後輪側車高調整装置４０による制御モードは具体的には以下の通りである。
（Ａ）車高下げ制御モード
後輪側車高調整装置４０において、ＥＣＵ７０は、車両の走行中又は長時間停車中にあって、切換弁６０を閉弁して車高上げ動作可能にする車高上げ制御モード下で、下記１〜３のいずれかの制御条件によって切換弁６０を開弁する車高下げ制御モードに移行する。
【００４８】
尚、ＥＣＵ７０は、車高下げ制御モードに入って切換弁６０を閉弁状態から開弁するとき、切換弁６０を閉弁状態から開弁した当初の印加電圧（ソレノイド開弁当初電圧Ｅ1）に比し、開弁してから一定時間後の開弁保持段階でその印加電圧をソレノイド開弁保持電圧Ｅ2に下げ、切換弁６０に供給するソレノイド電流を省エネ化する。例えば、Ｅ1＝12V、Ｅ2＝4Vである。
【００４９】
また、ソレノイドが開弁保持状態にある時、一定時間の間隔で通常電圧（起動時の電圧）を付与することで、振動などにより、誤動作することを防ぐことができ、誤動作状態から復帰させることが可能となる。
【００５０】
１．車速制御
ＥＣＵ７０は、車両の車速Ｖ、本実施例では車速センサ９１（前輪車輪速センサ９１Ｆ、後輪車輪速センサ９１Ｒ）が検出した車輪速Ｖが車高下げ車輪速Ｖd以下（Ｖ≦Ｖd）に入ったときに、車高下げ制御モードに入り、切換弁６０を開弁して車高下げ動作可能にする。
ＥＣＵ７０は、車高下げ車輪速Ｖdを予め定めておく。Ｖdは例えば10km/hとする。
【００５１】
２．停車予測時間制御
ＥＣＵ７０は、車両の停車予測時間Ｔを予測し、予測した停車予測時間Ｔが所定の基準停車時間Ｔa以下（Ｔ≦Ｔa）になったきに、車高下げ制御モードに入り、切換弁６０を開弁して車高下げ動作可能にする。
【００５２】
ＥＣＵ７０は、車速センサ９１（前輪車輪速センサ９１Ｆ、後輪車輪速センサ９１Ｒ）が検出した車両の車輪速から減速度を算出し、又はＧセンサ９３から減速度を検出し、減速度から停車予測時間Ｔを予測する。
【００５３】
ＥＣＵ７０は、基準停車時間Ｔaを、油圧ジャッキ４１のジャッキ室４２に満杯された作動油の排出時間（ジャッキ室４２から切換弁６０を介してダンパチューブ１１の油溜室２６に排出する時間）とする。
【００５４】
このとき、ＥＣＵ７０は、車両の停車予測時間Ｔを予測開始すべき基準車輪速Ｖaを予め定め、車両の車輪速Ｖが基準車輪速Ｖa以下（Ｖ≦Ｖa）になったときに、停車予測時間Ｔを予測するものとする。
【００５５】
尚、ＥＣＵ７０は、停車予測時間制御において、上述のＴ≦Ｔa、かつＶ≦Ｖaなる制御条件に代え、車両の減速度αが所定の基準減速度αa以上（α≧αa）になったときに車高下げ制御モードに入り、切換弁６０を開弁して車高下げ動作可能にするものとしても良い。
【００５６】
ＥＣＵ７０は、基準車輪速Ｖa、基準停車時間Ｔa、基準減速度αaを予め定めておく。Ｖaは例えば40km/h、Ｔaは例えば2.5sec、αaは例えば4km/h/secとする。
【００５７】
尚、停車予測時間とは、刻々の車両運動パラメータから予測演算される、走行中の車両が直近未来に停止するまでの時間を代表するパラメータであって、時間の次元を有する。
【００５８】
実際の比較演算を行なう際には、時間の次元が比較式の両辺に分割されていたり、要素毎に比較を行なう等によって、一見「時間」の次数をとらない比較演算となる場合もある。
【００５９】
例えば、最も簡単な停車予測時間の演算式のひとつはＴ＝−Ｖ／α＝−Ｖ・dt／dV（等加速度運動を仮定した場合の演算式）であるが、下記３つの比較式はすべて同一の意味となり、演算上の都合で比較方法の違いは生じても、実効上の意味はすべて停止予測時間の比較演算を行なっているものである。
Ｔ＜ｃ（ｃは閾値、ここではｃ＝Ｔa）
Ｖ＜−ｃ・α
−α＞ｃ・Ｖ
【００６０】
更に要素毎に比較を行なう例では、（Ｖ＜ｃ1）∩（−α＞ｃ2）  (ｃ1、ｃ2は閾値)のように停車予測時間を算出するＶ、αの要素毎に比較を行ない、論理積をとる等の場合がある。
この場合は、Ｔ＝−Ｖ／αより、Ｔa＝（−ｃ1）／（−ｃ2）＝ｃ1／C2と表せる。
【００６１】
３．サイドスタンド制御
ＥＣＵ７０は、サイドスタンドセンサ９４により車両のサイドスタンドが待機位置から作業位置に設定替えされたことを検出したときに車高下げ制御モードに入り、切換弁６０を開弁して車高下げ動作可能にする。また、車速センサ９１（前輪車輪速センサ９１Ｆ、後輪車輪速センサ９１Ｒ）により車輪速を監視して、車輪速が微速以上（例えば5km/s）ある場合はスタンド位置が、作業位置にあっても、下げ制御を行なわないで、車輪速が0の場合のみ下げ制御を実施する様な制御を行なうことができる。
【００６２】
（Ｂ）車高上げ制御モード
後輪側車高調整装置４０において、ＥＣＵ７０は、上述（Ａ）により切換弁６０を開弁保持した車高下げ制御モード中に、下記１〜４のいずれかの制御条件によって切換弁６０を閉弁する車高上げ制御モードに移行する。
【００６３】
尚、ＥＣＵ７０は、車高上げ制御モードに入って切換弁６０を開弁状態から閉弁するとき、切換弁６０への印加電圧Ｅ0をオフする（Ｅ0＝OV）。
【００６４】
１．車輪速制御
ＥＣＵ７０は、車速センサ９１（前輪車輪速センサ９１Ｆ、後輪車輪速センサ９１Ｒ）が検出した車両の車輪速Ｖが車高下げ車輪速Ｖd（車高下げ車輪速Ｖdとは独立に定めた車高上げ車輪速Ｖuでも可）を越えた（Ｖ＞Ｖd、又はＶ＞Ｖu）ときに、車高下げ制御モードを中止し、車高上げ制御モードに入り、切換弁６０を閉弁して車高上げ動作可能にする。
【００６５】
ＥＣＵ７０は、車高下げ車輪速Ｖd（又は車高上げ車輪速Ｖu）を予め定めておく。Ｖd又はＶuは例えば40km/hとする。
【００６６】
２．停車予測時間制御
ＥＣＵ７０は、車両の停車予測時間Ｔを予測し、予測した停車予測時間Ｔが所定の副次的基準停車時間Ｔbを越えた（Ｔ＞Ｔb）ときに、車高下げ制御モードを中止し、車高上げ制御モードに入り、切換弁６０を閉弁して車高上げ動作可能にする。
【００６７】
ＥＣＵ７０は、車両の停車予測時間Ｔを、車両の減速度（又は加速度）から予測する。
このとき、ＥＣＵ７０は、車両の停車時間Ｔを予測開始すべき副次的基準車輪速Ｖbを予め定め、車速センサ９１（前輪車輪速センサ９１Ｆ、後輪車輪速センサ９１Ｒ）が検出した車両の車輪速Ｖが副次的基準車輪速Ｖbを越えた（Ｖ＞Ｖb）ときに、停車予測時間Ｔを予測するものとする。
【００６８】
尚、ＥＣＵ７０は、停車予測時間制御において、上述のＴ＞Ｔb、かつＶ＞Ｖbなる制御条件に代え、車両の加速度βが所定の基準加速度βbを越えた（β＞βb）ときに、車高下げ制御モードを中止し、車高上げ制御モードに入り、切換弁６０を閉弁して車高上げ動作可能にするものとしても良い。
【００６９】
ＥＣＵ７０は、副次的基準車輪速Ｖb、副次的基準停車時間Ｔb、基準加速度βbを予め定めておく。Ｖbは例えば40km/h、Ｔbは例えば3sec、βbは例えば5km/h/secとする。
【００７０】
３．長時間停車制御
ＥＣＵ７０は、車両の停車時間が所定の継続停車時間Ｔc以上になったときに、車高下げ制御モードを中止し、車高上げ制御モードに入り、切換弁６０を閉弁して車高上げ動作可能にする。
ＥＣＵ７０は、車両の継続停車時間Ｔcを予め定めておく。Ｔcは例えば30secとする。
【００７１】
４．ニュートラル制御
ＥＣＵ７０は、車速センサ９１（前輪車輪速センサ９１Ｆ、後輪車輪速センサ９１Ｒ）が検出した車両の車輪速Ｖ＝0、かつシフトポジションセンサ９２が検出した変速機のシフトポジションがニュートラルのときに、車高下げ制御モードを中止し、車高上げ制御モードに入り、切換弁６０を閉弁して車高上げ動作可能にする。
【００７２】
（Ｃ）車高保持モード
後輪側車高調整装置４０において、ＥＣＵ７０は、車両の走行中にあって、車高検出手段８０（後輪側車高検出手段８０Ｒ）の検出結果によって切換弁６０を開閉制御することにより、車高を予め所望により設定した任意の中間高さ位置に保持する。
【００７３】
即ち、ＥＣＵ７０が切換弁６０をオフ作動（車高上げ制御モード）からオン作動に切換えて開弁し、車高下げ開始する車高の上閾値をＨ1に設定し、ＥＣＵ７０が切換弁６０をオン作動（車高下げ制御モード）からオフ作動に切換えて閉弁し、車高上げ開始する車高の下閾値をＨ2に設定する。これにより、ＥＣＵ７０は、車高検出手段８０の検出結果によって、自動二輪車１の走行中の車高を、図１０に示す如く、Ｈ1とＨ2に挟まれる中間高さ位置に保持するものになる。
【００７４】
従って、このような後輪側車高調整装置４０によれば、車高は、油圧ジャッキ４１におけるプランジャ４３の最高突出可能端が定める最大高さ位置と、油圧ジャッキ４１におけるプランジャ４３の最低没入可能端が定める最小高さ位置との間で、任意の中間高さ位置に保持され得る。
【００７５】
また、車高の切換手段たる切換弁６０として電磁弁を採用することにより、車高を瞬時に切換えできる。
【００７６】
尚、車高検出手段８０（後輪側車高検出手段８０Ｒ）として、油圧ジャッキ４１におけるプランジャ４３の突出高さ検出手段８１を採用することにより、検出時の車高を推測できる。
【００７７】
また、車高検出手段８０（後輪側車高検出手段８０Ｒ）として、油圧ジャッキ４１におけるジャッキ室４２の油圧検出手段８２を採用することにより、検出時の車高を推測できる。このとき、油圧検出手段８２の検出結果をフィルタ（ローパス）にかけることによって、車重（積載荷重）を推定できる。車重が重くて車高が下がり気味のときには、車高を上げてダンパ１０Ａの底突を回避する。車重が軽くて車高が上がり気味のときには、車高を下げてダンパ１０Ａの伸切を回避する。
【００７８】
また、車高検出手段８０（後輪側車高検出手段８０Ｒ）として、ダンパチューブ１１に対するピストンロッド１２の伸縮ストローク長検出手段８３を採用することにより、検出時の車高を推測できる。このとき、伸縮ストローク長検出手段８３の検出結果をフィルタ（バンドパス）にかけることによって路面の凹凸状況（振幅状況）を推定できる。路面の振幅が大きいときには、車高を上げてダンパ１０Ａの底突を回避し、又は車高を適宜高さに調整してダンパ１０Ａの底突と伸切の双方を回避する。路面の振幅が小さいときには、オンロード車であれば風の抵抗を緩和するために車高を下げ、オフロード車であれば車両の前後の揺れ（ピッチング）を防ぐために車高を下げる。
【００７９】
（Ｄ）付帯装置制御モード
後輪側車高調整装置４０において、ＥＣＵ７０は、後輪側車高調整手段８０Ｒの検出信号により、車両に付帯する付帯装置、例えばヘッドライト２１０、サイドスタンド２２０、バックミラー２３０、ＡＢＳ付きブレーキ２４０、表示装置２５０等を以下の如くに制御する。
【００８０】
（ヘッドライト２１０）
ＥＣＵ７０は、後輪側車高検出手段８０Ｒの検出信号により、ヘッドライト２１０の光軸の位置、傾き等を車高に応じて最適状態に調整する。このとき、ＥＣＵ７０は、ヘッドライト２１０のためのＥＣＵ２１１を介する。
【００８１】
これにより、車高が如何様に変化しても、ヘッドライト２１０の光軸をそれらの車高に応じて適宜な光軸となるように設定替えし、結果としてライダー自身のための適正な照明範囲を確保し、或いは対向車の視界を損なうおそれを排除できる。
【００８２】
（サイドスタンド２２０）
ＥＣＵ７０は、後輪側車高検出手段８０Ｒの検出信号により、サイドスタンド２２０の長さを車両停車時の車高に応じて調整する。このとき、ＥＣＵ７０は、サイドスタンド２２０のためのＥＣＵ２２１を介する。
【００８３】
即ち、車高が高い状態で停車した場合にサイドスタンド２２０が届かずに車両が転倒する可能性もあるので、車高が高い状態で停車した場合には、サイドスタンド２２０を伸ばし、安定して停車できるようにする必要があり、停車時の車高を検出し、サイドスタンド２２０の長さを調整する。
【００８４】
（バックミラー２３０）
ＥＣＵ７０は、後輪側車高検出手段８０Ｒの検出信号により、バックミラー２３０の位置を車高に応じて調整する。このとき、ＥＣＵ７０は、バックミラー２３０のためのＥＣＵ２３１を介する。
【００８５】
即ち、車高が如何様に変化しても、バックミラー２３０の位置をそれらの車高に応じて適宜な位置となるように設定替えし、結果として後方視認の確実を図る。
【００８６】
（ＡＢＳ付きブレーキ２４０）
ＥＣＵ７０は、後輪側車高検出手段８０Ｒの検出信号により、ブレーキ２４０のＡＢＳを作動させる車輪速の減速変化率の閾値を車高に応じて調整する。このとき、ＥＣＵ７０は、ＡＢＳ付きブレーキ２４０のためのＥＣＵ２４１を介する。
即ち、車高が如何様に変化しても、ＡＢＳによる安定したブレーキ操作性を確保できる。
【００８７】
（表示装置２５０）
ＥＣＵ７０は、後輪側車高検出手段８０Ｒの検出信号により、表示装置２５０に車高を表示する。このとき、ＥＣＵ７０は、表示装置２５０のためのＥＣＵ２５１を介する。
【００８８】
以上、自動二輪車１において、リアサスペンション１０に採用した後輪側車高調整装置４０の車高調整動作について説明したが、フロントフォーク１１０に採用した前輪側車高調整装置１４０においても、前輪側車高検出手段８０Ｆの検出結果を用いて、後輪側車高調整装置４０による上述の（Ａ）車高下げ制御モード、（Ｂ）車高上げ制御モード、（Ｃ）車高保持モード、（Ｄ）付帯装置制御モードと実質的に同一の車高調整動作を行なうことができる。
【００８９】
（Ｅ）前後の車高連動制御モード
次に、自動二輪車１におけるリアサスペンション１０の車高調整動作を、フロントフォーク１００による車高調整動作と連動する車高連動制御モードについて説明する。
【００９０】
即ち、リアサスペンション１０の後輪側車高調整装置４０は、ピストンロッド１２の伸縮動によりポンピング動作して作動油を吐出する油圧ポンプ５０と、油圧ポンプ５０が吐出する作動油により突出するプランジャ４３を備える油圧ジャッキ４１と、油圧ジャッキ４１のプランジャ４３に支持される懸架スプリング１３とを有し、リアサスペンション１０に付帯する後輪側車高検出手段８０Ｒの検出結果により油圧ジャッキ４１を作動制御し、後輪側車高を調整する。
【００９１】
また、フロントフォーク１１０の前輪側車高調整装置１４０は、ピストンロッド１１３の伸縮動によりポンピング動作して作動油を吐出する油圧ポンプ１５０と、油圧ポンプ１５０が吐出する作動油により突出するプランジャ１４３を備える油圧ジャッキ１４１と、油圧ジャッキ１４１のプランジャ１４３に支持される懸架スプリング１１４とを有し、フロントフォーク１１０に付帯する前輪側車高検出手段８０Ｆの検出結果により油圧ジャッキ１４１を作動制御し、前輪側車高を調整する。
【００９２】
そして、自動二輪車１にあっては、リアサスペンション１０の後輪側車高調整装置４０が有する油圧ジャッキ４１の作動制御による後輪側車高の調整動作と、フロントフォーク１１０の前輪側車高調整装置１４０が有する油圧ジャッキ１４１の作動制御による前輪側車高の調整動作とを連動させて車高を調整する。これにより、自動二輪車１の車高が変化してもライダーの運転姿勢の安定を図ることができる。
【００９３】
従って、自動二輪車１において、ＥＣＵ７０は、後輪側車高調整装置４０による後輪側車高の調整動作と、前輪側車高調整装置１４０による前輪側車高の調整動作とを同期させて車高を調整することができる。これにより、前後の車軸３、４に対して車体２を上下平行に変位し、ライダーの運転姿勢の安定を維持し得るものになる。
【００９４】
また、自動二輪車１において、ＥＣＵ７０は、後輪側車高調整装置４０と前輪側車高調整装置１４０によって車高を下げ動作するとき、後輪側車高調整装置４０による後輪側車高の下げ動作を、前輪側車高調整装置１４０による前輪側車高の下げ動作よりも先行させて車高を調整することができる。これにより、後輪側の車高を先に下げ、停車時の足付き性を向上できる。
【００９５】
また、停車時のブレーキ操作によって既に前のめり気味の車体２を後輪側から先に下げ動作させ、次に前輪側も下げ動作させることにより、車体２の前のめりを緩和できる。
【００９６】
尚、リアサスペンション１０とフロントフォーク１００の車高連動制御モードにおいて、リアサスペンション１０の油圧ジャッキ４１とフロントフォーク１００の油圧ジャッキ１４１に作動油を供給する油圧ポンプとして、リアサスペンション１０がピストンロッド１２の伸縮動によりポンピング動作して作動油を吐出する油圧ポンプ５０を共用するものでも良い。但し、フロントフォーク１００がピストンロッド１２４の伸縮動によりポンピング動作して作動油を吐出する油圧ポンプ１５０を上述のリアサスペンション１０とフロントフォーク１００の車高連動のための油圧ポンプとして共用することもできる。
【００９７】
（Ｆ）車高検出手段の校正制御モード
後輪側車高調整装置４０（前輪側車高調整装置１４０も同じ）において、車高検出手段８０（前輪側車高検出手段８０Ｆ、後輪側車高検出手段８０Ｒ）の検出結果を用いて車高を調整するに際し、車高検出手段８０の検出結果を簡易に校正して正しい車高を検出可能にするため、ＥＣＵ７０は以下の制御機能を有する。
【００９８】
ＥＣＵ７０は、車両への車高調整装置４０の組付段階又は部品交換段階で、バッテリを車両の給電回路に接続し、このバッテリからの給電下でイグニッションオンにより起動されたとき、下記i.、ii.を行なう。
【００９９】
i.ＥＣＵ７０は、切換弁６０の開弁継続下の車高検出手段８０の検出結果を油圧ジャッキ４１の下限高さ（油圧ジャッキ４１におけるプランジャ４３の最低没入可能端が定める最小高さ位置）とする。
【０１００】
このとき、切換弁６０が図８、図９に示したノーマルクローズバルブのときには以下の通りである。ＥＣＵ７０は、バッテリからの給電下でイグニッションオンにより起動され、切換弁６０のソレノイドをオンさせて開弁し、規定時間設定後の車高検出手段８０の検出結果を油圧ジャッキ４１の上述の下限高さとする。
【０１０１】
但し、切換弁６９が図１１に示したノーマルオープンバルブのときには、バッテリを車両の給電回路に接続する前から油圧ジャッキ４１は上述の最小高さ位置にある。従って、ＥＣＵ７０はイグニッションオン直後の車高検出手段８０の検出結果を油圧ジャッキ４１の上述の下限高さとする。
【０１０２】
ii.ＥＣＵ７０は、切換弁６０の閉弁下で車両を揺すり、これによって上昇する車高検出手段８０の検出結果の最上昇端を油圧ジャッキ４１の上限高さとする。
【０１０３】
このとき、切換弁６０が図８、図９に示したノーマルクローズバルブのときには以下の通りである。ＥＣＵ７０は、切換弁６０のソレノイドをオフさせた閉弁下で車両を揺すり、これによって上昇する車高検出手段８０の検出結果の最上昇端を油圧ジャッキ４１の上述の上限高さとする。
【０１０４】
但し、切換弁６０が図１１に示したノーマルオープンバルブのときには、ＥＣＵ７０は、切換弁６０のソレノイドをオンさせた閉弁下で車両を揺すり、これによって上昇する車高検出手段８０の検出結果の最上昇端を油圧ジャッキ４１の上述の上限高さとする。
【０１０５】
上述i.、ii.によれば、ＥＣＵ７０が備える校正機能によって、車高検出手段８０が検出し得る下限高さと上限高さを簡易に把握し、車高検出手段８０によって正しい車高を検出できる。
【０１０６】
これにより、ＥＣＵ７０は車高下げ制御動作による車高の下限高さを正しく判定し、ライダーの足付き性を確保できる。
【０１０７】
また、ＥＣＵ７０は車高上げ制御動作による車高の上限高さを正しく判定できる。
また、ＥＣＵ７０は下限高さと上限高さの認識に基づいてそれらの中間位置を正しく認識し、所望の中間位置に車高を設定できる。
【０１０８】
（Ｇ）車高調整装置４０の故障検出制御モード
油圧ポンプ５０と油圧ジャッキ４１と切換弁６０と車高検出手段８０（前輪側車高検出手段８０Ｆ、後輪側車高検出手段８０Ｒ）を含む制御系を有する後輪側車高調整装置４０（前輪側車高調整装置１４０も同じ）において、それらの制御系の故障を判定するため、下記i.〜iv.を行なう。
【０１０９】
尚、油圧ポンプ５０と油圧ジャッキ４１と切換弁６０と車高検出手段８０を含む制御系の故障としては、油圧ポンプ５０と油圧ジャッキ４１と切換弁６０を結ぶ油圧回路の油漏れ、切換弁６０のソレノイドの動作不良、車高検出手段８０の信号線の断線、ＥＣＵ７０自体の動作不良等を挙げることができる。
【０１１０】
i.ＥＣＵ７０は、切換弁６０のソレノイドに閉弁指令を出力しているにもかかわらず、車高検出手段８０の検出車高が規定高さを越える位置から下がるとき、油圧ポンプ５０と油圧ジャッキ４１と切換弁６０と車高検出手段８０を含む制御系が故障であるものと判定する。
【０１１１】
ii.ＥＣＵ７０は、切換弁６０のソレノイドに開弁指令を出力しているにもかかわらず、車高検出手段８０の検出車高が規定高さを越える位置から下がらないとき、油圧ポンプ５０と油圧ジャッキ４１と切換弁６０と車高検出手段８０を含む制御系が故障であるものと判定する。
【０１１２】
iii.ＥＣＵ７０は、切換弁６０のソレノイドを開閉制御しているにもかかわらず、車高検出手段８０の検出車高が規定時間以上変化しないとき、油圧ポンプ５０と油圧ジャッキ４１と切換弁６０と車高検出手段８０を含む制御系が故障であるものと判定する。
【０１１３】
iv.ＥＣＵ７０は、上述のi.〜iii.により制御系の故障を判定したとき、車高制御動作を中止し、異常警報を出力する。
【０１１４】
以上、本発明の実施例を図面により詳述したが、本発明の具体的な構成はこの実施例に限られるものではなく、本発明の要旨を逸脱しない範囲の設計の変更等があっても本発明に含まれる。例えば、切換弁６０は電磁弁に頼らず、回転式、ポペット式等の他の方式の電気操作可能な弁であっても良い。
【産業上の利用可能性】
【０１１５】
本発明は、車体と車軸の間に介装されるダンパと、ダンパの伸縮動によりポンピング動作してダンパ内の作動油を吐出する油圧ポンプと、油圧ポンプが吐出する作動油を給排されて車高を変位させる油圧ジャッキと、油圧ジャッキをダンパの油溜室に切換接続する電磁弁からなる切換弁と、車高を検出する車高検出手段と、車高検出手段の検出結果によって切換弁を開閉制御し、車高を調整する制御手段とを有してなる自動二輪車の車高調整装置であって、制御手段は、バッテリからの給電下でイグニッションオンにより起動され、切換弁の開弁継続下の車高検出手段の検出結果を油圧ジャッキの下限高さとし、切換弁の閉弁下で車両を揺すり、これによって上昇する車高検出手段の検出結果の最上昇端を油圧ジャッキの上限高さとする。これにより、車高検出手段の検出結果を用いて車高を調整する自動二輪車の車高調整装置において、車高検出手段の検出結果を簡易に校正して正しい車高を検出することができる。
【符号の説明】
【０１１６】
１  自動二輪車
２  車体
３、４  車軸
３Ａ  後輪
４Ａ  前輪
１０Ａ、１１０Ａ  ダンパ
４０、１４０  車高調整装置
４１、１４１  油圧ジャッキ
５０、１５０  油圧ポンプ
６０、１６０  切換弁
７０  ＥＣＵ（制御手段）
８０、８０Ｆ、８０Ｒ  車高検出手段
【図１】
2014065345.tif 000003
【図２】
2014065345.tif 000004
【図３】
2014065345.tif 000005
【図４】
2014065345.tif 000006
【図５】
2014065345.tif 000007
【図６】
2014065345.tif 000008
【図７】
2014065345.tif 000009
【図８】
2014065345.tif 000010
【図９】
2014065345.tif 000011
【図１０】
2014065345.tif 000012
【図１１】
2014065345.tif 000013